(57)【要約】【課題】本発明では、螺旋巻回部はその伸縮方向に対抗する方向に付勢され、脚または腕を動かしても、矯正具が緩まず、矯正の効果が向上する。【解決手段】伸縮自在の付勢バンド１１（付勢部）の基端は、環状巻回部１の螺旋巻回２１の基端が縫合されている個所に縫合され、付勢バンド１１（付勢部）の先端の端面ファスナー４は環状巻回部１の反対側の連結端５に係止される。そうすると、付勢バンド１１によって、螺旋巻回部２１の基端は付勢端６から連結端５に向かって付勢され、よって螺旋巻回部２１はその伸縮方向に対抗する方向に付勢され、脚または腕を動かしても、矯正具が緩まず、矯正の効果が向上する。【選択図】図２
2011045628.tif 000002
【特許請求の範囲】
【請求項１】
膝または肘の上と下とで環状に巻回されて固定され、当該巻回の方向に沿って伸縮する可撓性を有する帯状の環状巻回部と、
この上下の環状巻回部を繋ぎ、上記膝または肘に対して螺旋状に巻回され、当該巻回の方向に沿って伸縮する可撓性を有する帯状の螺旋巻回部と、
上記環状巻回部の外面に一端が固定され、他端が当該環状巻回部の外面に対して着脱され、当該環状巻回部を上記一端から他端に向かって付勢するとともに、上記螺旋巻回部の伸縮方向に対抗する方向にも付勢し、長手方向に沿って伸縮する可撓性を有する帯状の付勢部とを備えたことを特徴とする四肢矯正具。
【請求項２】
上記付勢部の一端は、上記螺旋巻回部が上記環状巻回部に繋がれる個所に固定されていることを特徴とする請求項１記載の四肢矯正具。
【請求項３】
上記環状巻回部の一方または両方は、上記螺旋巻回部と連続して帯状に一体となっており、この一体の螺旋巻回部及び環状巻回部は、上記膝または肘に対して螺旋状に巻回され、さらに膝または肘の上または下で環状に巻回されて固定されることを特徴とする請求項１記載の四肢矯正具。
【請求項４】
上記螺旋巻回部は、上記環状巻回部に形成された孔またはスリットを挿通して、当該環状巻回部の内側から外側に到達して、当該環状巻回部の外側に固定されることを特徴とする請求項１または２記載の四肢矯正具。
【請求項５】
上記膝または肘の上下の環状巻回部を繋ぎ、当該環状巻回部に対してほぼ直交する方向に延び、長手方向に沿って伸縮する可撓性を有する複数の帯状の連結部をさらに備え、当該連結部は当該膝または肘の曲がる方向に対して、この膝または肘の両側面に位置し、上記螺旋巻回部は当該膝または肘の曲がる方向に対して、この膝または肘の正面または背面に位置することを特徴とする請求項１または２記載の四肢矯正具。
【請求項６】
上記複数の連結部の一つの端は、上記螺旋巻回部が上記環状巻回部に繋がれる個所または上記付勢部の上記一端が環状巻回部に固定される個所に固定されていることを特徴とする請求項５記載の四肢矯正具。
【請求項７】
足または手の親指またはその他の指に係止される係止部と、
足首または手首に環状に巻回されて固定され、当該巻回の方向に沿って伸縮する可撓性を有する帯状の環状巻回部と、
これら係止部と環状巻回部とを繋ぎ、足または手の親指またはその他の指から足首または手首にかけて螺旋状に巻回され、当該巻回の方向に沿って伸縮する可撓性を有する帯状の螺旋巻回部とを備えたことを特徴とする四肢矯正具。
【請求項８】
上記螺旋巻回部の螺旋方向は、膝、肘、足首または手首の外旋の矯正と、内旋の矯正とで異なることを特徴とする請求項１または７記載の四肢矯正具。
【請求項９】
上記環状巻回部は、上記螺旋巻回部と連続して帯状に一体となっており、この一体の螺旋巻回部及び環状巻回部は、上記足または手に対して螺旋状に巻回され、さらに足首または手首で環状に巻回されて固定されることを特徴とする請求項７記載の四肢矯正具。
【請求項１０】
上記螺旋巻回部の方向は上記環状巻回部の方向と異なっており、上記係止部に係止される指を起立させる方向に螺旋巻回部が付勢されることを特徴とする請求項７または８記載の四肢矯正具。
【発明の詳細な説明】
【技術分野】
【０００１】
本発明は、四肢矯正具に関し、特に四肢の外旋または内旋を矯正または治療する器具に関する。
【背景技術】
【０００２】
従来、このような矯正具としては、膝の上下にわたって帯状の矯正具を螺旋状に巻回していた（ＷＯ９４／０００８２号公報、特表２００２−５１４１０５号公報）。
【０００３】
しかしながら、このような矯正具は膝を曲げたり伸ばしたりして脚を動かしているうちに、矯正具が緩んでしまい、矯正の効果が低下していたし、また頻繁に矯正具を装着し直ししなくてはならなかった。
【０００４】
【特許文献１】ＷＯ９４／０００８２号公報
【特許文献２】特表２００２−５２１１３０号公報
【特許文献３】特開２０００−１９７６５５号公報
【特許文献４】特開平８−１０３４５８号公報
【特許文献５】特表２００２−５１４１０５号公報
【特許文献６】特開２００６−２２３８４５号公報
【特許文献７】特開平１０−２１１２２５号公報
【特許文献８】実用新案登録第３０１３６９７号公報
【特許文献９】実用新案登録第２０５４６１４号公報
【発明の開示】
【発明が解決しようとする課題】
【０００５】
本発明は、上述した課題を解決するためになされたものであり、本発明の目的は、１つの治療具で膝または肘を曲げたり伸ばしたりして脚または腕を動かしても、矯正具が緩まず、頻繁に矯正具を装着し直す必要がない四肢治療具を提供することである。
【課題を解決するための手段】
【０００６】
上記目的を達成するため、本発明の四肢矯正具は、環状巻回部の外面に一端が固定され、他端が当該環状巻回部の外面に対して着脱され、当該環状巻回部を上記一端から他端に向かって付勢するとともに、上記螺旋巻回部の伸縮方向に対抗する方向にも付勢し、長手方向に沿って伸縮する可撓性を有する帯状の付勢部とを備えた。
【０００７】
ここで、環状巻回部は、膝または肘の上と下とで環状に巻回されて固定され、当該巻回の方向に沿って伸縮する可撓性を有する帯状である。また、螺旋巻回部は、この上下の環状巻回部を繋ぎ、上記膝または肘に対して螺旋状に巻回され、当該巻回の方向に沿って伸縮する可撓性を有する帯状である。
【発明の効果】
【０００８】
これにより、膝や肘を曲げたり伸ばしたりして脚や腕を動かしても、装着した四肢矯正具が緩むことがない。なぜなら、螺旋巻回部または環状巻回部が緩もうとしても、上記付勢部がこの緩みを禁止するからである。また、このような付勢部の付勢によって、矯正する方向への力が強まり、矯正効果が向上する。
【０００９】
足の指に係止しない場合、例えば足の土踏まずに係止したような場合には、足首の矯正の効果は低くなる。また、手の指に係止しない場合、例えば手の平に係止したような場合には、手首の矯正の効果は低くなる。
【００１０】
なお、脚は股から足まで、腕は肩から手まで、大腿は股から膝まで、下腿は膝から足首まで、上腕は肩から肘まで、前腕（小手を含む、以下同じ）は肘から手首までを指す。また、外旋矯正のときは、足首、手首、股、肩、膝または肘を内旋させる方向に付勢し、内旋矯正のときは、足首、手首、股、肩、膝または肘を外旋させる方向に付勢することになる。
【００１１】
外旋は、股関節、膝関節、足首関節、肩関節、手首関節または肘関節が正常状態より外側に向いている状態をいい、脚においてはＯ脚、外股なども場合によって含み、内旋は、股関節、膝関節、足首関節、肩関節、手首関節または肘関節が正常状態より内側に向いている状態をいい、脚においてはＸ脚、内股なども場合によって含む。
【発明を実施するための最良の形態】
【００１２】
（１）環状巻回部１（第一実施例）
図１は四肢矯正具（第一実施例）の中の膝矯正具または肘矯正具の展開図を示す。図２は同じく膝矯正具または肘矯正具の装着状態を示す。環状巻回部１は、可撓性を有する帯状であり、ゴム板の表裏面に布が接合固定されていて、長手方向及び／または幅方向に弾性的に伸縮可能である。このゴム板はウレタン樹脂製などであり、また布もゴム板とともに収縮可能なものであり、ゴム板及び布は可撓性もある。
【００１３】
この環状巻回部１の表面／外面、つまり脚または腕に巻いたとき外側になる側の全面は、面ファスナー布２になっていて、この面ファスナー布２には細かい微小ループの突起が多数編み込まれていて、この微小ループ群は面ファスナー布２の全面に形成されている。
【００１４】
この環状巻回部１の裏面／内面、つまり脚または腕に巻いたとき内側になる側の全面には、面ファスナーではない通常布３になっている。この環状巻回部１の一方の端を付勢端５、他方の端を連結端６と呼ぶ。
【００１５】
この環状巻回部１の連結端６先端の裏面／内面には部分的に端面ファスナー４が縫合または接合されている。この端面ファスナー４は、多数の微小鉤、微小鈎、微小錨、微小矢印または微小キノコの微小突起を表面に備えており、上記環状巻回部１の付勢端５などの表側の面ファスナー布２の任意の位置の多数の微小ループに着脱自在に係合される。
【００１６】
したがって、この環状巻回部１を脚または腕に巻いて固定したとき、これらの巻回箇所の太さに応じて端面ファスナー４の面ファスナー布２への係止／係合位置を任意に変更でき、環状巻回部１を最適の締め付け位置／緊縮位置で腰に固定できる。また、環状巻回部１の裏面は通常布３であって面ファスナーではないので、端面ファスナー４や後述する付勢１１の端面ファスナー１２または螺旋巻回部２１の端面ファスナーが誤って環状巻回部１の裏面側に係止／係合されてしまうことがない。
【００１７】
この環状巻回部１の長さは、膝の上または下若しくは肘の上または下で、大腿、下腿、上腕または前腕を一周以上する長さ、例えば１周＋１／１０周乃至３／４周の長さとなり、脚または腕、つまり大腿、下腿、上腕または前腕を環状に周回して巻回される。したがって、帯状の環状巻回部１は、膝または肘の上と下とで環状に巻回されて固定され、当該環状巻回部１は当該巻回の方向に沿って伸縮し、しかも可撓性を有する。
【００１８】
上記環状巻回部１の表面／外面のほぼ中央には、帯状の付勢バンド１１（付勢部）の一端が縫合されて固定されている。この付勢バンド１１の他端の先端の裏面／内面には、端面ファスナー１２が縫合または接合されている。この端面ファスナー１２は、多数の微小鉤、微小鈎、微小錨、微小矢印または微小キノコの微小突起を表面に備えており、上記環状巻回部１の表側の面ファスナー布２の任意の位置の多数の微小ループに着脱自在に係止／係合される。
【００１９】
この付勢バンド１１の先端は、上記環状巻回部１の付勢端６の方向に沿って長く延びて、環状巻回部１を脚または腕に巻回装着したとき、環状巻回部１の反対側の連結端５まで達して着脱自在に係止／係合され、脚または腕に巻回装着したとき連結端５まで達する長さを有する。
【００２０】
この付勢バンド１１は、可撓性を有する帯状であり、ゴム板などからなり、長手方向及び／または幅方向に弾性的に伸縮可能である。したがって、この付勢バンド１１は、環状巻回部１を付勢端６から連結端５に向かって付勢する。これにより、環状巻回部１及び螺旋巻回部２１を、緩まないように付勢することができ、またこの付勢によって矯正の効果が向上する。
【００２１】
（２）螺旋巻回部２１（第一実施例）
螺旋巻回部２１は細長い帯状であり、上記環状巻回部１より長く、ゴム板の周囲を布が覆っていて、長手方向及び／または幅方向に弾性的に伸縮可能である。このゴム板はゴム紐と同様のものであり、また布もゴム板とともに収縮可能なものであり、ゴム板及び布は可撓性もある。この螺旋巻回部２１の表面／外面及び裏面／内面の全体には、細かい微小ループの突起が多数編み込まれていて、この微小ループ群は面ファスナー布２の全面に形成されている。
【００２２】
この螺旋巻回部２１の基端は上記環状巻回部１のほぼ中央に縫合されて繋がれ固定されている。この螺旋巻回部２１の基端は、環状巻回部１に対してほぼ４５度の斜めに繋がれ、環状巻回部１の連結端５の方に向かって傾斜している。この螺旋巻回部２１の先端の裏面／内面には、端面ファスナー２２が縫合または接合されている。
【００２３】
この端面ファスナー２２は、多数の微小鉤、微小鈎、微小錨、微小矢印または微小キノコの微小突起を表面に備えており、脚または腕を周回して、螺旋巻回部２１の表面／外面または裏面／内面の任意の位置の上記の微小ループ群に着脱自在に係止／係合される。
【００２４】
この螺旋巻回部２１は、上記膝または肘に対して螺旋状に巻回され、当該巻回の方向に沿って伸縮し、可撓性も有する。この螺旋巻回部２１の先のほぼ半分は、脚または腕を周回して巻回されており、この螺旋巻回部２１の先ほぼ半分の周回巻回部分は、上記環状巻回部１と同じ機能を果たしている。
【００２５】
したがって、膝または肘の上と下とで環状に巻回されて固定される環状巻回部１、１の一方は、上記螺旋巻回部２１と連続して帯状に一体となっており、この一体の螺旋巻回部２１及び環状巻回部１は、上記膝または肘に対して螺旋状に巻回され、さらに膝または肘の上または下で環状に巻回されて固定されるといえる。
【００２６】
この場合、螺旋巻回部２１は短くされ、この螺旋巻回部２１の先端に上記環状巻回部１と同じ構造のものであって、上下反転されたものが縫合されて繋がれ固定されてもよい。ここで、付勢バンド１１は無くてもよいが、あった方が矯正の効果はより高まる。このような、環状巻回部１が上下二つ存在する構造は、構造が複雑になるが、矯正の効果は高まる。
【００２７】
逆に、本実施例のように、螺旋巻回部２１と環状巻回部１とが一体になっていると、構造が簡単になり、膝、肘、脚または腕への装着及び離脱が容易になる。なお、上下の環状巻回部１、１両方ともが、螺旋巻回部２１と一体になっていてもよい。この場合、構造がさらに簡単になり、脚または腕への装着及び離脱がさらに容易になる。ここで、次述するように、付勢バンド１１は、上下二つまたはいずれか一方に設けられるが、全く無くてもよい。
【００２８】
なお、螺旋巻回部２１の中央から１／４ほど先端よりの位置に、上記付勢バンド１１と同じ付勢バンド１１（付勢部）の一端が縫合されて固定され、この付勢バンド１１の他端は螺旋巻回部２１に沿って螺旋巻回部２１の先端に向かって延びていてもよい。このような付勢バンド１１も、上述の付勢バンド１１と同じく、螺旋巻回部２１の先の環状巻回部１部分を、緩まないように付勢することができ、この付勢によって矯正の効果が向上する。
【００２９】
上記環状巻回部１への付勢バンド１１の一端が固定される位置と、環状巻回部１への螺旋巻回部２１の基端が固定され繋がれる個所とはほぼ一致している。これにより、付勢バンド１１は、螺旋巻回部２１の基端を付勢して引っ張り、当該螺旋巻回部２１の伸縮方向／収縮方向に対抗する方向に付勢し、膝または肘を曲げ伸ばしして脚または腕を動かしても、螺旋巻回部２１が緩むことがないし、さらには環状巻回部１も緩むことがないし、この付勢によって矯正の効果が向上する。
【００３０】
なお、環状巻回部１への付勢バンド１１の一端が固定される位置と、環状巻回部１への螺旋巻回部２１の基端が固定され繋がれる個所とはずれていてもよい。例えば、付勢バンド１１の基端が、環状巻回部１の付勢端６の方に寄っていてもよい。この場合でも、螺旋巻回部２１及び環状巻回部１は緩まないし、付勢による矯正の効果が向上する。
【００３１】
また、付勢バンド１１の基端が、環状巻回部１の連結端５の方に寄っていてもよい。この場合でも、螺旋巻回部２１及び環状巻回部１は緩まないし、矯正の効果が向上する。しかし、いちばん緩まず、矯正の効果がいちばん向上するのは、環状巻回部１への付勢バンド１１の一端が固定される位置と、環状巻回部１への螺旋巻回部２１の基端が固定され繋がれる個所とはほぼ一致している場合である。
【００３２】
また、螺旋巻回部２１の基端が繋げられる環状巻回部１の個所は、環状巻回部１の中央ではなく、付勢端６寄りでもよいし、連結端５寄りでもよい。また、付勢バンド１１の一端が固定される環状巻回部１の位置も、付勢端６寄りでもよいし、連結端５寄りでもよい。このような螺旋巻回部２１の繋ぐ個所または／及び付勢バンド１１の固定位置は、外旋または内旋の矯正の最も効果の出るところで選択される。
【００３３】
本実施例の膝矯正具または肘矯正具は、環状巻回部１が膝または肘の上、つまり大腿または上腕に巻回固定される。しかし、これが逆に、環状巻回部１が膝または肘の下、つまり下腿または前腕に巻回固定されてもよい。また、装着の順番は、環状巻回部１の次に螺旋巻回部２１であるが、これが逆であってもよい。
【００３４】
図１及び図２の例では、右の膝または肘の外旋を矯正して内旋させる例である。左の膝または肘では、図１及び図２の例が左右対称の構造となる。また、右の膝または肘の内旋を矯正して外旋させる逆の例では、図１及び図２の例が左右対称の構造となる。左の膝または肘の内旋を矯正して外旋させる逆の例では、図１及び図２の例と同じとなる。よって、上記螺旋巻回部２１の螺旋方向は、膝または肘の外旋の矯正と、内旋の矯正とで逆向きで異なる。
【００３５】
さらに、環状巻回部１が下腿または前腕に巻回され、螺旋巻回部２１が大腿または上腕に巻回されて上下反転されて取り付けられてもよい。この場合でも、図１及び図２の例では、右の膝または肘の外旋を矯正して内旋させる例となる。左の膝または肘では、図１及び図２の例が左右対称の構造となる。
【００３６】
また、右の膝または肘の内旋を矯正して外旋させる逆の例では、図１及び図２の例が左右対称の構造となる。左の膝または肘の内旋を矯正して外旋させる逆の例では、図１及び図２の例と同じとなる。よって、上記螺旋巻回部２１の螺旋方向は、膝または肘の外旋の矯正と、内旋の矯正とで逆向きで異なり、同じ一つの膝矯正具または肘矯正具で、外旋治療も内旋治療もできる。
【００３７】
（３）環状巻回部３１及び螺旋巻回部３３（第二実施例）
図３は、四肢矯正具の中の膝矯正具または肘矯正具の第二実施例の展開図を示す。図４は同じく膝矯正具または肘矯正具の第二実施例の装着状態を示す。上下二つの環状巻回部３１は、上記環状巻回部１と同じ構造であり、膝または肘の上下に巻回される。これら上下の環状巻回部３１、３１を架け渡して繋ぐように、帯状の連結バンド３２、３２（連結部）の両端が、環状巻回部３１、３１に縫合されて固定されている。
【００３８】
これら連結バンド３２、３２（連結部）は、環状巻回部３１、３１に直交する方向に延びている。これら連結バンド３２、３２（連結部）は、上記螺旋巻回部２１と同じ構造であり、長手方向に沿って伸縮し、可撓性も有する。
【００３９】
これら連結バンド３２、３２は、膝または肘の曲がる方向に対して、この膝または肘の両側面に位置する。次述する螺旋巻回部３３は、当該膝または肘の曲がる方向に対して、この膝または肘の正面または背面に位置する。これにより、膝または肘の外旋または内旋のほか膝または肘自体の湾曲も矯正される。
【００４０】
上記上側の環状巻回部３１の連結バンド３２の上端が繋がって固定されている個所には、螺旋巻回部３３の基端が縫合されて繋がれ固定されている。この螺旋巻回部３３は、上記螺旋巻回部２１と同じ構造である。この螺旋巻回部３３の基端は、環状巻回部３１に対してほぼ４５度の斜めに繋がれ、環状巻回部３１の連結端３５の方に向かって傾斜している。この螺旋巻回部３３の先端の裏面／内面には、端面ファスナー３７が縫合または接合されている。
【００４１】
上記下側の環状巻回部３１の連結端３５の先端よりやや中央よりには、環状巻回部３１の幅方向に延びるスリット４０が形成されている。上記螺旋巻回部３３の先端は、このスリット４０を挿通して、下側の環状巻回部３１の内側から外側に到達して、この螺旋巻回部３３の先端裏面／内面の端面ファスナー３７が、環状巻回部３１の外側に係止／係合されて固定される。
【００４２】
この係止／係合の個所は、連結端３５を越えて付勢端３６となる。螺旋巻回部３３が付勢端３６まで到達すれば、この螺旋巻回部３３の先端が下記付勢バンド４１と同じ働きをして、下側の環状巻回部３１において、付勢バンド４１が不要となる。むろん、下側の環状巻回部３１において、付勢バンド４１が設けられてもよい。
【００４３】
なお、螺旋巻回部３３の係止／係合先は連結端３５でもよい。また、上記螺旋巻回部３３は上記スリット４０の外側から内側に挿通されてもよい。スリット４０を螺旋巻回部３３が挿通するとき、螺旋巻回部３３は斜め４５度折られたり捻じられたりしてもよい。
【００４４】
上記上側の環状巻回部３１の連結バンド３２の上端が繋がって固定されている個所、つまり上記螺旋巻回部３３の基端が縫合されて繋がれ固定されている個所には、付勢バンド４１（付勢部）の一端が縫合され固定されている。この付勢バンド４１は、上記付勢バンド１１と同じ構造である。
【００４５】
上記環状巻回部３１、３１の連結端３５、３５先端の裏面／内面には、上記端面ファスナー４と同じ構造の端面ファスナー３８、３８が縫合または接合されている。環状巻回部３１、３１の連結端３５、３５と反対側は、上記付勢端６、６と同じ付勢端３６、３６となっている。上記付勢バンド４１の裏面／内面の先端は、上記端面ファスナー１２と同じ端面ファスナー４２が縫合または接合されている。
【００４６】
なお、図３及び図４の膝矯正具または肘矯正具の第二実施例においても上下反転されて使用可能である。本実施例でも、上記螺旋巻回部２１の螺旋方向は、膝または肘の外旋の矯正と、内旋の矯正とで逆向きで異なり、同じ一つの膝矯正具または肘矯正具で、外旋治療も内旋治療もできる。
【００４７】
この第二実施例の他の構造、作用、効果は、上記第一実施例と同じであり、これらの説明は本実施例でも記載されているものとするし、本実施例の記載内容も上記第一実施例にも記載されているものとする。この第二実施例で記載されていないことは、第二実施例以外の実施例が参照されるし、第一実施例で記載されていないことは、当該第一実施例以外の実施例が参照される。
【００４８】
（４）足首矯正具（第三実施例）
図５は、四肢矯正具（第三実施例）の中の足首矯正具の展開図を示す。図６は同じく足首矯正具の内旋治療の装着状態を示す。図７は同じく足首矯正具の外旋治療の装着状態を示す。この足首矯正具の素材は上記螺旋巻回部２１と同じものが用いられ、帯状で可撓性があり、長手方向及び／または幅方向に弾性的に伸縮可能である。
【００４９】
この足首矯正具の先端は、テーパー状に曲げられて端縁が足首矯正具本体に縫合され、テーパー状の係止部５１が形成され、この係止部５１内には足の親指が挿脱自在に挿入可能とされ係止される。この係止部５１から延びる帯状の螺旋巻回部５２は、足の甲の外側または内側をたどり、足首に環状に巻回されて固定され、帯状の環状巻回部５３となる。
【００５０】
この環状巻回部５３の先端の裏面／内面には、端面ファスナー５４が縫合または接合されており、足首に環状巻回部５３が巻回されて、端面ファスナー５４が環状巻回部５３の表面／外面に着脱自在に係止／係合される。この端面ファスナー５４は、上記環状巻回部１の端面ファスナー４と同じ構造である。
【００５１】
この環状巻回部５３は、足首に環状に巻回されて固定され、当該巻回の方向に沿って伸縮し、可撓性も有する。上記螺旋巻回部５２は、上記係止部５１と環状巻回部５３とを繋ぎ、足の親指から足首にかけて螺旋状に巻回され、当該巻回の方向に沿って伸縮し、可撓性を有する。したがって、足首の外旋または内旋が矯正される。
【００５２】
上記環状巻回部５３は、上記螺旋巻回部５２と連続して帯状に一体となっており、この一体の螺旋巻回部５２及び環状巻回部５３は、上記足に対して螺旋状に巻回され、さらに足首で環状に巻回されて固定される。したがって、環状巻回部５３及び螺旋巻回部５２は連続して帯状に一体となっているので、構造が簡単となり、足及び足首への着脱も容易となる。
【００５３】
図５において直線状に延びる環状巻回部５３及び螺旋巻回部５２と上記係止部５１との間は折れ曲がった折曲螺旋巻回部５５となっており、この折曲螺旋巻回部５５は、係止部５１の中の足の親指を上方へ引き上げる作用を果たす。
【００５４】
なぜなら、折曲螺旋巻回部５５が折れ曲がっていることによって、足の親指の付け根部分に、この折曲螺旋巻回部５５が上から当接し、歩行などによって足の指が動くことによって、足の親指の付け根部分が盛り上がり、足の親指が入った係止部５１が後方へ引っ張られ、この結果、このテーパー状の係止部５１の親指の下の部分が上方へ引っ張られるからである。
【００５５】
このような足の親指の引き上げによって、足及び脚の内旋または外旋の治療効果が非常に向上する。足の指に係止しない場合、例えば足の土踏まずに係止した場合には、足首の矯正の効果は低くなる。図５の治療具は手にも装着でき、この場合、手及び腕の内旋または外旋の治療効果が非常に向上する。なお、図５の例は、内旋治療用とされ、図５の例で上下対称形のものが、外旋治療用とされてもよい。
【００５６】
以上のように、上記折曲螺旋巻回部５５の方向は上記環状巻回部５３の方向と異なっており、上記係止部５１に係止される指を起立させる方向に折曲螺旋巻回部５５が付勢される。この係止される指の起立によって、外旋または内旋の矯正の効果が向上する。この場合、上記係止部５１はテーパー状なので、指の引き上げ効果が高い。
【００５７】
螺旋巻回部５２が足に巻かれる巻回回数は、図６の内旋治療では一回、図７の外旋治療では半回未満であるが、一回半、二回、二回半、三回、三回半、…等どのような巻回回数でもよい。
【００５８】
図５の例では、右の足及び足首の外旋または内旋を矯正する例である。左の足及び足首では、図５の例が上下対称の構造となる。図６は、右の足及び足首の内旋を矯正する装着の例である。図７は、同じく右の足及び足首の外旋を矯正する装着の例である。
【００５９】
したがって、外旋治療と内旋治療とでは、同じ足首矯正具を用い、巻回の向きを変えるだけでよい。よって、上記螺旋巻回部５２の螺旋方向は、足及び足首の外旋の矯正と、内旋の矯正とで逆向きで異なり、同じ一つの足首矯正具で、外旋治療も内旋治療もできる。
【００６０】
この第三実施例の他の構造、作用、効果は、上記第一実施例及び第二実施例と同じであり、これらの説明は本実施例でも記載されているものとするし、本実施例の記載内容も上記第一実施例及び第二実施例にも記載されているものとする。この第三実施例で記載されていないことは、第三実施例以外の実施例が参照されるし、第一実施例及び第二実施例で記載されていないことは、当該第一実施例及び第二実施例以外の実施例が参照される。
【００６１】
（５）手首矯正具（第四実施例）
図８は、四肢矯正具（第四実施例）の中の手首矯正具の展開図を示す。図９は同じく手首矯正具の内旋治療の装着状態を示す。図１０は同じく手首矯正具の外旋治療の装着状態を示す。この手首矯正具の素材は上記螺旋巻回部２１と同じものが用いられ、帯状で可撓性があり、長手方向及び／または幅方向に弾性的に伸縮可能である。
【００６２】
この手首矯正具の先端には、穴が開けられ、穴状の係止部６１が形成され、この係止部６１内には手の親指が挿脱自在に挿入可能とされ係止される。この係止部６１から延びる帯状の螺旋巻回部６２は、手の甲側または手の平側をたどり、手首に環状に巻回されて固定され、帯状の環状巻回部６３となる。
【００６３】
この環状巻回部６３の先端の裏面／内面には、端面ファスナー６４が縫合または接合されており、手首に環状巻回部６３が巻回されて、端面ファスナー６４が環状巻回部６３の表面／外面に着脱自在に係止／係合される。この端面ファスナー６４は、上記環状巻回部１の端面ファスナー４と同じ構造である。
【００６４】
この環状巻回部６３は、手首に環状に巻回されて固定され、当該巻回の方向に沿って伸縮し、可撓性も有する。上記螺旋巻回部６２は、上記係止部６１と環状巻回部６３とを繋ぎ、手の親指から手首にかけて螺旋状に巻回され、当該巻回の方向に沿って伸縮し、可撓性を有する。したがって、手首の外旋または内旋が矯正される。
【００６５】
上記環状巻回部６３は、上記螺旋巻回部６２と連続して帯状に一体となっており、この一体の螺旋巻回部６２及び環状巻回部６３は、上記手に対して螺旋状に巻回され、さらに手首で環状に巻回されて固定される。したがって、環状巻回部６３及び螺旋巻回部６２は連続して帯状に一体となっているので、構造が簡単となり、手及び手首への着脱も容易となる。
【００６６】
図８において、上記直線状の螺旋巻回部６２は同じく直線状の環状巻回部６３に対して折れ曲がっており、この螺旋巻回部６２が環状巻回部６３に対して折れ曲がっていることによって、係止部６１の中の手の親指を上方へ引き上げる作用を果たす。
【００６７】
なぜなら、螺旋巻回部６２が環状巻回部６３に対して折れ曲がっていることによって、手の親指の付け根部分に、前腕方向に斜め方向ではなくほぼ平行に引っ張り上げる作用が働き、この結果、この穴状の係止部６１の中に入った親指が起立されるように外方へ引っ張られるからである。
【００６８】
このような手の親指の引き上げによって、手及び腕の内旋または外旋の治療効果が非常に向上する。手の指に係止しない場合、例えば手の平に係止した場合には、手首の矯正の効果は低くなる。図８の治療具は足にも装着でき、この場合、足及び脚の内旋または外旋の治療効果が非常に向上する。なお、図８の例は、内旋治療用とされ、図８の例の上下対称形のものが、外旋治療用とされてもよい。
【００６９】
以上のように、上記螺旋巻回部６２の方向は上記環状巻回部６３の方向と異なっており、上記係止部６１に係止される指を起立させる方向に螺旋巻回部６２が付勢される。この係止される指の起立によって、外旋または内旋の矯正の効果が向上する。
【００７０】
螺旋巻回部６２が手に巻かれる巻回回数は、図９の内旋治療では半回未満、図１０の外旋治療では半回未満であるが、一回、一回半、二回、二回半、三回、…等どのような巻回回数でもよい。
【００７１】
図８の例では、右の手及び手首の外旋または内旋を矯正する例である。左の手及び手首では、図８の例が上下対称の構造となる。図９は、右の手及び手首の内旋を矯正する装着の例である。図１０は、同じく右の手及び手首の外旋を矯正する装着の例である。
【００７２】
したがって、外旋治療と内旋治療とでは、同じ手首矯正具を用い、巻回の向きを変えるだけでよい。よって、上記螺旋巻回部６２の螺旋方向は、手及び手首の外旋の矯正と、内旋の矯正とで逆向きで異なり、同じ一つの手首矯正具で、外旋治療も内旋治療もできる。
【００７３】
この第四実施例の他の構造、作用、効果は、上記第一実施例、第二実施例及び第三実施例と同じであり、これらの説明は本実施例でも記載されているものとするし、本実施例の記載内容も上記第一実施例、第二実施例及び第三実施例にも記載されているものとする。この第四実施例で記載されていないことは、第四実施例以外の実施例が参照されるし、第一実施例、第二実施例及び第三実施例で記載されていないことは、当該第一実施例、第二実施例及び第三実施例以外の実施例が参照される。
【００７４】
（６）他の実施の形態
本発明は、上記実施例に限定されず、種々変更可能である。例えば、図１及び図２の膝矯正具または肘矯正具において、下側の環状巻回部１に上側の環状巻回部１の構造を採用してもよいし、上側の環状巻回部１に下側の環状巻回部１の構造を採用してもよい。
【００７５】
図３及び図４の膝矯正具または肘矯正具において、下側の環状巻回部３１のスリット４０は、連結バンド３２の根元付近で形成されてもよい。このスリット４０付近には、付勢バンド４１が取り付けられてもよい。この付勢バンド４１の向きは、上側の環状巻回部３１の付勢バンド４１とは逆向きとなる。
【００７６】
上側の環状巻回部３１の付勢バンド４１の根元付近には、スリット４０が形成されてもよい。この場合、螺旋巻回部３３は、上下二つのスリット４０、４０を挿通する。連結バンド３２、３２は２本以上でも、場合によって一本でもよいし、Ｖ字状、Ｘ字状、Ｗ字状のように斜めであってもよい。
【００７７】
環状巻回部１、３１、３１はそれぞれ複数でもよく、足首から、下腿、膝、大腿、股にかけて、または手首から、前腕、肘、上腕、肩にかけて、それぞれ巻回されてもよい。螺旋巻回部２１、３３は複数でもよく、足首、下腿、膝、大腿、股にかけて、または手首、前腕、肘、上腕、肩にかけて、それぞれ巻回されてもよい。
【００７８】
図３及び図４の膝矯正具または肘矯正具において、スリット４０は複数でもよいし、付勢バンド１１、４１は複数でもよい。図３及び図４の膝矯正具または肘矯正具において、下側の環状巻回部３１に上側の環状巻回部３１の構造を採用してもよいし、上側の環状巻回部３１に下側の環状巻回部３１の構造を採用してもよい。
【００７９】
係止部５１、６１は、足または手の親指が係止されるのが望ましいが、親指が無いまたは親指に係止できない場合には、人差し指、中指、薬指、小指、義指など、他の指に係止されてもよい、指全体に係止されてもよい。
【００８０】
係止部５１、６１は同じ構造または異なる構造で、複数設けられ、複数の指に分けて係止されてもよい。係止部５１、６１は、リング状で、指全体または指の一部の付け根に環状に巻回されてもよい。
【００８１】
上記係止部５１、６１は、足の親指または手の親指に係止／係合／架止／架合できれば、上述の筒テーパー状、穴状の構造に限られず、締め付けバンド、締め付け紐、キャップ状、円錐等の錐状、筒状、袋状、環状、網状など、どのような構造でもよい。図５の足首矯正具は手に装着してもよいし、図８の手首矯正具は足に装着してもよい。
【００８２】
上記螺旋巻回部５２、６２と環状巻回部５３、６３とは、一体の同じ構造に限られず、図１乃至図４に示される螺旋巻回部２１、３３と環状巻回部１、３１ように、構造の異なるものでもよく、付勢バンド（付勢部）１１、４１等が設けられていてもよく、足または手の親指から手首または足首にかけて、螺旋状に巻回でき、また手首または足首に巻回できれば、どのような構造でもよい。
【００８３】
環状巻回部５３、６３は複数でもよく、足首から、下腿、膝、大腿にかけて、または手首から前腕、肘、上腕にかけて、それぞれ巻回されてもよい。螺旋巻回部５２、６２は複数でもよく、足の指から、足首、下腿、膝、大腿にかけて、または手の指から、手首、前腕、肘、上腕にかけて、それぞれ巻回されてもよい。
【００８４】
上記端面ファスナー５４、６４は、環状巻回部５３、６３、螺旋巻回部５２、６２の複数個所に設けられてもよいし、裏面／／内面以外に表面／外面に設けられてもよい。係止部５１、６１、環状巻回部５２、６２、環状巻回部５３、６３の一部または全部は、場合によって省略可能である。
【００８５】
上記端面ファスナー４、１２、２２、３７、３８、４２、５４、６４は、巻回等されて、着脱自在に係止／係合／固定できれば、係合紐、ベルトの係合穴と係合ピン、磁石、接着シート、ボタンとボタンホール、フックとホックなどなんでもよい。環状巻回部１、３１、５３、６３、螺旋巻回部２１、３３、５２、６２、付勢バンド（付勢部）１１、４１の一部または全部は、幅方向に伸縮せず、長手方向にのみ伸縮してもよい。
【００８６】
図１乃至図１０の四肢矯正具は人体の地肌に直接装着される。この方が矯正の効果が高いからである。しかし、場合によって、下着、タイツ、手袋、靴下の上から装着することも可能である。
【００８７】
図１乃至図４の膝矯正具（肘矯正具）と図５乃至図１０の足首矯正具または／及び手首矯正具とは、同時に装着されて、それぞれの環状巻回部１、３１、５３、６３、または螺旋巻回部２１、３３、５２、６２の一部または全部が共用されることができる。これにより、四肢全体にわたって、系統的または全体的に、外旋または内旋を矯正できる。
【００８８】
人間の四肢、手足、胴体、頭部の骨、関節及び筋肉は互いに密接な関連を有しており、この中でもある筋肉群、ある関節群、ある骨群は、他の群に比べて特に密接な関連を有している群がある。この筋肉群、関節群または骨群を選んで、前後左右上下の傾きまたは向き、形、高さ、位置の矯正を多面的・総合的・関連的に矯正をはかると、矯正の効果が相乗的に格段に向上する。これを「筋肉の連鎖理論」（骨の連鎖理論）と呼ぶ。
【００８９】
このような「連鎖理論」に基づき、上述の図１から図１０までの矯正具を選んで複数同時に装着し、さらには、本願と同一出願人が特願２００５−３７１２０６号にて開示した、腰、股関節、その他の四肢矯正具も選んで同時に装着すると、矯正の効果は相乗的に格段に向上する。
【００９０】
（７）「筋肉の連鎖」
人が筋肉や関節を使って「動く」ときには、多くの筋肉や関節を連動させて「動く」が、これら筋肉や関節の動きには、ある一定の規範があり、例えばひとつの関節がどのように動いて筋肉をどのように動かし、その筋肉に関連する他の関節に、どのように影響を及ぼしていくかにも、ある程度決まった流れがある。
【００９１】
このような筋肉と関節の動きの流れを「筋肉の連鎖」と呼び、開発者はこの考えに基づいて鍼灸マッサージの施術を行っているが、申請中の全てのサポーター（上記四肢矯正具）もまた、この「筋肉の連鎖」の考えに基づき、連動する筋肉や関節の関係性を利用して、不具合を起こしゆがみやこりの生じた体を正常な状態にもどしていこうとする意図を持って作られている。
【００９２】
したがって、サポーターの作用をこれら筋肉や関節に正しく影響させるためには、単に形状ではなく、螺旋の位置や、サポーターのゴムの微妙なテンション等が重要な意味をもつものである。
【００９３】
（８）他の発明の効果
［１］膝または肘の上と下とで環状に巻回されて固定され、当該巻回の方向に沿って伸縮する可撓性を有する帯状の環状巻回部と、  この上下の環状巻回部を繋ぎ、上記膝または肘に対して螺旋状に巻回され、当該巻回の方向に沿って伸縮する可撓性を有する帯状の螺旋巻回部と、  上記環状巻回部の外面に一端が固定され、他端が当該環状巻回部の外面に対して着脱され、当該環状巻回部を上記一端から他端に向かって付勢するとともに、上記螺旋巻回部の伸縮方向に対抗する方向にも付勢し、長手方向に沿って伸縮する可撓性を有する帯状の付勢部とを備えたことを特徴とする四肢矯正具。  これにより、膝または肘を曲げたり伸ばしたりして脚または腕を動かしても、矯正具が緩まず、頻繁に矯正具を装着し直す必要がなくなり、矯正の効果が向上する。
【００９４】
［２］上記付勢部の一端は、上記螺旋巻回部が上記環状巻回部に繋がれる個所に固定されていることを特徴とする請求項１記載の四肢矯正具。  これにより、螺旋巻回部の根元／基から、螺旋巻回部の緩みを防止でき、矯正の効果が向上する。
【００９５】
［３］上記環状巻回部の一方または両方は、上記螺旋巻回部と連続して帯状に一体となっており、この一体の螺旋巻回部及び環状巻回部は、上記膝または肘に対して螺旋状に巻回され、さらに膝または肘の上または下で環状に巻回されて固定されることを特徴とする請求項１記載の四肢矯正具。  これにより、環状巻回部及び螺旋巻回部は連続して帯状に一体となっているので、構造が簡単となり、膝及び肘への着脱も容易となる。
【００９６】
［４］上記螺旋巻回部は、上記環状巻回部に形成された孔またはスリットを挿通して、当該環状巻回部の内側から外側に到達して、当該環状巻回部の外側に固定されることを特徴とする請求項１または２記載の四肢矯正具。  これにより、環状巻回部に対して螺旋巻回部がずれににくくなり、四肢矯正具が緩みにくくなり、矯正の効果が向上する。
【００９７】
［５］上記膝または肘の上下の環状巻回部を繋ぎ、当該環状巻回部に対してほぼ直交する方向に延び、長手方向に沿って伸縮する可撓性を有する複数の帯状の連結部をさらに備え、当該連結部は当該膝または肘の曲がる方向に対して、この膝または肘の両側面に位置し、上記螺旋巻回部は当該膝または肘の曲がる方向に対して、この膝または肘の正面または背面に位置することを特徴とする請求項１または２記載の四肢矯正具。  これにより、膝または肘の外旋または内旋のほか膝または肘自体の湾曲も矯正される。
【００９８】
［６］上記複数の連結部の一つの端は、上記螺旋巻回部が上記環状巻回部に繋がれる個所または上記付勢部の上記一端が環状巻回部に固定される個所に固定されていることを特徴とする請求項５記載の四肢矯正具。  これにより、連結部または螺旋巻回部の根元／基から、連結部または螺旋巻回部の緩みを防止でき、矯正の効果が向上する。
【００９９】
［７］足または手の親指またはその他の指に係止される係止部と、  足首または手首に環状に巻回されて固定され、当該巻回の方向に沿って伸縮する可撓性を有する帯状の環状巻回部と、  これら係止部と環状巻回部とを繋ぎ、足または手の親指またはその他の指から足首または手首にかけて螺旋状に巻回され、当該巻回の方向に沿って伸縮する可撓性を有する帯状の螺旋巻回部とを備えたことを特徴とする四肢矯正具。  これにより、足首から足にかけて、または手首から手にかけての外旋治療または内旋治療もできる。
【０１００】
［８］上記螺旋巻回部の螺旋方向は、膝、肘、足首または手首の外旋の矯正と、内旋の矯正とで異なることを特徴とする請求項１または７記載の四肢矯正具。  これにより、同じ一つの四肢矯正具で、外旋治療も内旋治療もできる。
【０１０１】
［９］上記環状巻回部は、上記螺旋巻回部と連続して帯状に一体となっており、この一体の螺旋巻回部及び環状巻回部は、上記足または手に対して螺旋状に巻回され、さらに足首または手首で環状に巻回されて固定されることを特徴とする請求項７記載の四肢矯正具。  これにより、環状巻回部及び螺旋巻回部は連続して帯状に一体となっているので、構造が簡単となり、手及び手首への着脱も容易となる。
【０１０２】
［１０］上記螺旋巻回部の方向は上記環状巻回部の方向と異なっており、上記係止に係止される指を起立させる方向に螺旋巻回部が付勢されることを特徴とする請求項７または８記載の四肢矯正具。  この係止される指の起立によって、外旋または内旋の矯正の効果が向上する。
【産業上の利用可能性】
【０１０３】
本発明では、螺旋巻回部はその伸縮方向に対抗する方向に付勢され、脚または腕を動かしても、矯正具が緩まず、矯正の効果が向上する。伸縮自在の付勢バンド１１（付勢部）の基端は、環状巻回部１の螺旋巻回２１の基端が縫合されている個所に縫合され、付勢バンド１１（付勢部）の先端の端面ファスナー４は環状巻回部１の反対側の連結端５に係止される。
【０１０４】
そうすると、付勢バンド１１によって、螺旋巻回部２１の基端は付勢端６から連結端５に向かって付勢され、よって螺旋巻回部２１はその伸縮方向に対抗する方向に付勢され、脚または腕を動かしても、矯正具が緩まず、矯正の効果が向上する。
【図面の簡単な説明】
【０１０５】
【図１】四肢矯正具（第一実施例）の中の膝矯正具または肘矯正具の展開図を示す。
【図２】四肢矯正具（第一実施例）の中の膝矯正具または肘矯正具の装着状態を示す。
【図３】四肢矯正具（第二実施例）の中の膝矯正具または肘矯正具の展開図を示す。
【図４】四肢矯正具（第二実施例）の中の膝矯正具または肘矯正具の装着状態を示す。
【図５】四肢矯正具（第三実施例）の中の足首矯正具の展開図を示す。
【図６】四肢矯正具（第三実施例）の中の足首矯正具の内旋治療の装着状態を示す。
【図７】四肢矯正具（第三実施例）の中の足首矯正具の外旋治療の装着状態を示す。
【図８】四肢矯正具（第四実施例）の中の手首矯正具の展開図を示す。
【図９】四肢矯正具（第四実施例）の中の手首矯正具の内旋治療の装着状態を示す。
【図１０】四肢矯正具（第四実施例）の中の手首矯正具の外旋治療の装着状態を示す。
【符号の説明】
【０１０６】
１…環状巻回部、２…面ファスナー布、
３…通常布、４…端面ファスナー、
５…連結端、６…付勢端、
１１…付勢バンド（付勢部）、１２…端面ファスナー、
２１…螺旋巻回部、２２…端面ファスナー
３１…環状巻回部、３２…連結バンド（連結部）、
３３…螺旋巻回部、３５…連結端、
３６…付勢端、３７…端面ファスナー、
３８…端面ファスナー、４０…スリット、
４１…付勢バンド（付勢部）、４２…端面ファスナー、
５１…係止部、５２…螺旋巻回部、
５３…環状巻回部、５４…端面ファスナー、
５５…折曲螺旋巻回部、６１…係止部、
６２…螺旋巻回部、６３…環状巻回部、
６４…端面ファスナー。
【図１】
2011045628.tif 000003
【図２】
2011045628.tif 000004
【図３】
2011045628.tif 000005
【図４】
2011045628.tif 000006
【図５】
2011045628.tif 000007
【図６】
2011045628.tif 000008
【図７】
2011045628.tif 000009
【図８】
2011045628.tif 000010
【図９】
2011045628.tif 000011
【図１０】
2011045628.tif 000012